【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
（ａ）ポリマー骨格；
（ｂ）それぞれが第一のリンカーによって前記ポリマー骨格に共有結合している複数のカチオン性中心；
（ｃ）各カチオン性中心に結合している対イオン；および
（ｄ）第二のリンカーを介して各カチオン性中心に共有結合している加水分解性基であって、アニオン性中心に加水分解性であり、前記第二のリンカーを介して前記カチオン性中心に共有結合している前記アニオン性中心を有する双性イオンポリマーを提供する加水分解性基
を含むカチオン性ポリマーを含む船舶コーティング。
【請求項２】
前記ポリマーが、式
ＰＢ−（Ｌ１−Ｎ＋（Ｒａ）（Ｒｂ）−Ｌ２−Ａ（＝Ｏ）−ＯＲｃ）ｎ  （Ｘ−）ｎ
を有し、式中、
ＰＢはｎ個のペンダント基Ｌ１−Ｎ＋（Ｒａ）（Ｒｂ）−Ｌ２−Ａ（＝Ｏ）−ＯＲｃ）を有するポリマー骨格であり；
Ｎ＋はカチオン性中心であり；
ＲａおよびＲｂは、水素、アルキルおよびアリールから独立に選択され；
Ａ（＝Ｏ）−ＯＲｃは、ＡがＣ、Ｓ、ＳＯ、ＰまたはＰＯからなる群から選択され、Ｒｃが１つまたは複数の置換基でさらに置換されてもよいアルキル、アリール、アシルまたはシリル基である加水分解性基であり；
Ｌ１は、前記カチオン性中心を前記ポリマー骨格に共有結合させるリンカーであり；
Ｌ２は、前記カチオン性中心を前記加水分解性基に共有結合させるリンカーであり；
Ｘ−は、前記カチオン性中心に結合している対イオンであり；
ｎは、約１０〜約１０，０００の整数である、請求項１に記載の船舶コーティング。
【請求項３】
前記対イオンがＣ１〜Ｃ２０カルボキシレートおよびＣ１〜Ｃ２０アルキルスルホネートからなる群から選択される、請求項１に記載の船舶コーティング。
【請求項４】
前記対イオンが抗菌剤、抗細菌剤および抗真菌剤からなる群から選択される、請求項１に記載の船舶コーティング。
【請求項５】
前記加水分解性基が加水分解の際にＣ１〜Ｃ２０カルボキシレートを放出する、請求項１に記載の船舶コーティング。
【請求項６】
前記加水分解性基が加水分解の際に抗菌剤、抗細菌剤または抗真菌剤を放出する、請求項１に記載の船舶コーティング。
【請求項７】
前記カチオン性中心が、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムからなる群から選択される、請求項１に記載の船舶コーティング。
【請求項８】
ＲａおよびＲｂが、Ｃ１〜Ｃ１０直鎖および分枝状アルキル基からなる群から独立に選択される、請求項２に記載の船舶コーティング。
【請求項９】
Ｌ１が−Ｃ（＝Ｏ）Ｏ−（ＣＨ２）ｎ−および−Ｃ（＝Ｏ）ＮＨ−（ＣＨ２）ｎ−からなる群から選択され、式中、ｎは１〜２０の整数である、請求項２に記載の船舶コーティング。
【請求項１０】
Ｌ２が−（ＣＨ２）ｎ−であり、式中、ｎは１〜２０の整数である、請求項２に記載の船舶コーティング。
【請求項１１】
Ａが、Ｃ、ＳＯおよびＰＯからなる群から選択される、請求項２に記載の船舶コーティング。
【請求項１２】
ＲｃがＣ１〜Ｃ２０アルキルである、請求項２に記載の船舶コーティング。
【請求項１３】
Ｘ−が、ハライド、カルボキシレート、アルキルスルホネート、サルフェート；ナイトレート、パークロレート、テトラフルオロボレート、ヘキサフルオロホスフェート、トリフルオロメチルスルホネート、ビス（トリフルオロメチルスルホニル）アミド、ラクテートおよびサリチレートからなる群から選択される、請求項２に記載の船舶コーティング。
【請求項１４】
船舶コーティングであって、式
【化２４】
2011503332.tif 000001
を有する共重合体を含み、式中、
Ｒ１は各出現時に、水素、メチルおよびエチルからなる群から独立に選択され；
Ｒ２およびＲ３は、Ｃ１〜Ｃ２０アルキルおよびフルオロアルキルからなる群から独立に選択され；
Ｒ４は、Ｃ１〜Ｃ２０アルキル、Ｃ６〜Ｃ１２アリールおよびトリ（Ｃ１〜Ｃ８アルキル）シリルからなる群から選択され；
Ｒは、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムから選択されるカチオン性中心であり；
ｍは、１〜２０の整数であり；
ｎは、５〜約１００，０００の整数であり；
ｐは、１〜２０の整数であり；
ｑは、５〜約１００，０００の整数である、船舶コーティング。
【請求項１５】
船舶コーティングであって、式
【化２５】
2011503332.tif 000002
を有する共重合体を含み、式中、
Ｒ１およびＲ２は、Ｃ１〜Ｃ２０アルキルおよびフルオロアルキルから独立に選択され；
Ｒは、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムから選択されるカチオン性中心であり；
ｐは、１〜２０の整数であり；
ｑは、１〜２０の整数であり；
ｍは、５〜約１００，０００の整数であり；
ｎは、５〜約１００，０００の整数である、船舶コーティング。
【請求項１６】
請求項１から１５のいずれか一項に記載のコーティングで処理された船舶基材の表面。
【請求項１７】
前記基材が海洋船体または海洋構造物である、請求項１６に記載の表面。
【請求項１８】
前記基材が、プロペラ、潜望鏡、センサー、船橋、または魚網から選択される海洋構造物である、請求項１６に記載の表面。
【請求項１９】
請求項１から１５のいずれか一項に記載のコーティングを船舶基材の表面に塗布することを含む、船舶基材の表面を処理する方法。
【手続補正２】
【補正対象書類名】明細書
【補正対象項目名】００２８
【補正方法】変更
【補正の内容】
【００２８】
本発明のさらなる態様では、船舶基材の表面を処理する方法が提供される。本方法では、本発明の船舶コーティングは、船舶基材の表面に塗布される。一実施形態では、コーティングを塗布することは、コーティングを噴霧することを含む。別の実施形態では、コーティングを塗布することは、コーティングをペイントすることを含む。
本発明はまた、以下の項目を提供する。
（項目１）
（ａ）ポリマー骨格；
（ｂ）それぞれが第一のリンカーによって上記ポリマー骨格に共有結合している複数のカチオン性中心；
（ｃ）各カチオン性中心に結合している対イオン；および
（ｄ）第二のリンカーを介して各カチオン性中心に共有結合している加水分解性基であって、アニオン性中心に加水分解性であり、上記第二のリンカーを介して上記カチオン性中心に共有結合している上記アニオン性中心を有する双性イオンポリマーを提供する加水分解性基
を含むカチオン性ポリマーを含む船舶コーティング。
（項目２）
上記ポリマーが、式
ＰＢ−（Ｌ１−Ｎ＋（Ｒａ）（Ｒｂ）−Ｌ２−Ａ（＝Ｏ）−ＯＲｃ）ｎ  （Ｘ−）ｎ
を有し、式中、
ＰＢはｎ個のペンダント基Ｌ１−Ｎ＋（Ｒａ）（Ｒｂ）−Ｌ２−Ａ（＝Ｏ）−ＯＲｃ）を有するポリマー骨格であり；
Ｎ＋はカチオン性中心であり；
ＲａおよびＲｂは、水素、アルキルおよびアリールから独立に選択され；
Ａ（＝Ｏ）−ＯＲｃは、ＡがＣ、Ｓ、ＳＯ、ＰまたはＰＯからなる群から選択され、Ｒｃが１つまたは複数の置換基でさらに置換されてもよいアルキル、アリール、アシルまたはシリル基である加水分解性基であり；
Ｌ１は、上記カチオン性中心を上記ポリマー骨格に共有結合させるリンカーであり；
Ｌ２は、上記カチオン性中心を上記加水分解性基に共有結合させるリンカーであり；
Ｘ−は、上記カチオン性中心に結合している対イオンであり；
ｎは、約１０〜約１０，０００の整数である、項目１に記載の船舶コーティング。
（項目３）
上記対イオンが疎水性の有機対イオンである、項目１に記載の船舶コーティング。
（項目４）
上記対イオンがＣ１〜Ｃ２０カルボキシレートおよびＣ１〜Ｃ２０アルキルスルホネートからなる群から選択される、項目１に記載の船舶コーティング。
（項目５）
上記対イオンが生物学的に活性である、項目１に記載の船舶コーティング。
（項目６）
上記対イオンが抗菌剤、抗細菌剤および抗真菌剤からなる群から選択される、項目１に記載の船舶コーティング。
（項目７）
上記対イオンがサリチレートである、項目１に記載の船舶コーティング。
（項目８）
上記加水分解性基が加水分解の際に疎水性の有機基を放出する、項目１に記載の船舶コーティング。
（項目９）
上記加水分解性基が加水分解の際にＣ１〜Ｃ２０カルボキシレートを放出する、項目１に記載の船舶コーティング。
（項目１０）
上記加水分解性基が加水分解の際に生物学的活性物質を放出する、項目１に記載の船舶コーティング。
（項目１１）
上記加水分解性基が加水分解の際に抗菌剤、抗細菌剤または抗真菌剤を放出する、項目１に記載の船舶コーティング。
（項目１２）
上記カチオン性中心が、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムからなる群から選択される、項目１に記載の船舶コーティング。
（項目１３）
ＲａおよびＲｂが、Ｃ１〜Ｃ１０直鎖および分枝状アルキル基からなる群から独立に選択される、項目２に記載の船舶コーティング。
（項目１４）
Ｌ１が−Ｃ（＝Ｏ）Ｏ−（ＣＨ２）ｎ−および−Ｃ（＝Ｏ）ＮＨ−（ＣＨ２）ｎ−からなる群から選択され、式中、ｎは１〜２０の整数である、項目２に記載の船舶コーティング。
（項目１５）
Ｌ２が−（ＣＨ２）ｎ−であり、式中、ｎは１〜２０の整数である、項目２に記載の船舶コーティング。
（項目１６）
Ａが、Ｃ、ＳＯおよびＰＯからなる群から選択される、項目２に記載の船舶コーティング。
（項目１７）
ＲｃがＣ１〜Ｃ２０アルキルである、項目２に記載の船舶コーティング。
（項目１８）
Ｘ−が、ハライド、カルボキシレート、アルキルスルホネート、サルフェート；ナイトレート、パークロレート、テトラフルオロボレート、ヘキサフルオロホスフェート、トリフルオロメチルスルホネート、ビス（トリフルオロメチルスルホニル）アミド、ラクテートおよびサリチレートからなる群から選択される、項目２に記載の船舶コーティング。
（項目１９）
船舶コーティングであって、式
【化２４】
2011503332.tif 000003
を有する共重合体を含み、式中、
Ｒ１は各出現時に、水素、メチルおよびエチルからなる群から独立に選択され；
Ｒ２およびＲ３は、Ｃ１〜Ｃ２０アルキルおよびフルオロアルキルからなる群から独立に選択され；
Ｒ４は、Ｃ１〜Ｃ２０アルキル、Ｃ６〜Ｃ１２アリールおよびトリ（Ｃ１〜Ｃ８アルキル）シリルからなる群から選択され；
Ｒは、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムから選択されるカチオン性中心であり；
ｍは、１〜２０の整数であり；
ｎは、５〜約１００，０００の整数であり；
ｐは、１〜２０の整数であり；
ｑは、５〜約１００，０００の整数である、船舶コーティング。
（項目２０）
Ｒ４がＣ４〜Ｃ１２アルキルである、項目１９に記載の船舶コーティング。
（項目２１）
船舶コーティングであって、式
【化２５】
2011503332.tif 000004
を有する共重合体を含み、式中、
Ｒ１およびＲ２は、Ｃ１〜Ｃ２０アルキルおよびフルオロアルキルから独立に選択され；
Ｒは、アンモニウム、イミダゾリウム、トリアザオリウム、ピリジニウム、モルホリニウム、オキサゾリジニウム、ピラジニウム、ピリダジニウム、ピリミジニウム、ピペラジニウムおよびピロリジニウムから選択されるカチオン性中心であり；
ｐは、１〜２０の整数であり；
ｑは、１〜２０の整数であり；
ｍは、５〜約１００，０００の整数であり；
ｎは、５〜約１００，０００の整数である、船舶コーティング。
（項目２２）
Ｒがアンモニウムである、項目１９から２１のいずれか一項に記載の船舶コーティング。
（項目２３）
上記共重合体がブロック共重合体である、項目１９から２１のいずれか一項に記載の船舶コーティング。
（項目２４）
結合剤ポリマーをさらに含む、項目１９から２１のいずれか一項に記載の船舶コーティング。
（項目２５）
上記結合剤ポリマーが、ロジン、アクリルポリマー、ポリエステル、アミノ樹脂、ポリウレタン、ポリアミド、ポリイミド、エポキシおよびフェノール樹脂、アルキド樹脂、ポリホスファゼン、ポリシロキサンおよびそれらの混合物からなる群から選択される、項目２４に記載の船舶コーティング。
（項目２６）
項目１から２５のいずれか一項に記載のコーティングで処理された船舶基材の表面。
（項目２７）
上記基材が海洋船体である、項目２６に記載の表面。
（項目２８）
上記基材が海洋構造物である、項目２６に記載の表面。
（項目２９）
上記海洋構造物がプロペラ、潜望鏡またはセンサーである、項目２８に記載の表面。
（項目３０）
上記海洋構造物が船橋である、項目２８に記載の表面。
（項目３１）
上記海洋構造物が魚網である、項目２８に記載の表面。
（項目３２）
項目１から２５のいずれか一項に記載のコーティングを船舶基材の表面に塗布することを含む、船舶基材の表面を処理する方法。
（項目３３）
上記コーティングを塗布することがコーティングを噴霧することを含む、項目３２に記載の方法。
（項目３４）
上記コーティングを塗布することがコーティングをペイントすることを含む、項目３２に記載の方法。
（項目３５）
上記基材が船体または海洋構造物である、項目３２に記載の方法。